(57)【要約】【課題】    ケースを有する防水性携帯用機器を提供すること。【解決手段】  本発明の防水性携帯用機器は、ケース（２）内に入口キャビティ（１１）から変形可能な膜（１５）により防水仕様で分離された電気音響トランデューサ（２１）が搭載され、前記入口キャビティ（１１）は、前記ケース（２）内に配置され外部と導通状態にある。前記電気音響トランデューサ（２１）と入口キャビティ（１１）は、前記トランデューサと前記入口キャビティの少なくとも一部は、は所定厚さで、前記ケースの裏蓋（１０）に平行な同一のスライス（２８）内配置され、前記音響チャネル（２４）は、前記トランデューサを変形可能な膜（１５）に接続して音響振動を伝達する。
2006513427.tif 000002
【特許請求の範囲】
【請求項１】
ケース（２）を有する防水性携帯用機器（１）において、
前記ケース（２）内に入口キャビティ（１１）から変形可能な膜（１５）により防水仕様で分離された電気音響トランデューサ（２１）が搭載され、
前記入口キャビティ（１１）は、前記ケース（２）内に配置され外部と導通状態にあり、
前記電気音響トランデューサ（２１）と入口キャビティ（１１）は、前記トランデューサの少なくとも一部と、前記キャビティは所定厚さで、前記ケースの裏蓋（１０）に平行な同一のスライス（２８）内配置され、
前記音響チャネル（２４）は、前記トランデューサを変形可能な膜（１５）に接続して音響振動を伝達する
ことを特徴とする防水性携帯機器。
【請求項２】
前記電気音響トランデューサ（２１）は、ダイナミック電気音響トランデューサである
ことを特徴とする請求項１記載の携帯機器。
【請求項３】
前記電気音響トランデューサ（２１）は、スピーカを含む
ことを特徴とする請求項１または２記載の携帯機器。
【請求項４】
前記スピーカは、前記音響チャネル（２４）に面して配列されたフレキシブルな膜（２２）を含む
ことを特徴とする請求項３記載の携帯機器。
【請求項５】
前記電気音響トランデューサ（２１）は、バイブレータを含む
ことを特徴とする請求項３または４記載の携帯機器。
【請求項６】
前記電気音響トランデューサ（２１）は、ケースの内側を向いて配列された振動要素を含む
ことを特徴とする請求項５記載の携帯機器。
【請求項７】
前記音響チャネル（２４）は、ケースの裏蓋（１０）内に配置され音響チャネル（２４）は、前記変形可能な膜（１５）により防水仕様で入口キャビティ（１１）から分離されている
ことを特徴とする請求項１−６のいずれかに記載の携帯機器。
【請求項８】
前記ケースの裏蓋（１０）は、外部圧力が所定の圧力以上の時には、前記変形可能な膜（１５）に対する支持表面を構成する
ことを特徴とする請求項７記載の携帯機器。
【請求項９】
少なくとも１個の電気的あるいは電子的要素（３２，３３）は、ケースの裏蓋（１０）内に配置されている
ことを特徴とする請求項７，８のいずれかに記載の携帯機器。
【請求項１０】
前記電気的要素は、アキュームレータ（３２）である
ことを特徴とする請求項９記載の携帯機器。
【請求項１１】
前記ケースの裏蓋（１０）は、取り外し可能であり、
前記ケースに固定して搭載された保護部材（１９）を有し、
前記保護部材（１９）は、外部圧力が所定値以上の時には前記変形可能な部材をサポートし、ケースの裏蓋（１０）が取り外された時には、前記変形可能な膜（１５）を保護する
ことを特徴とする請求項７−１０のいずれかに記載の携帯機器。
【請求項１２】
前記保護部材（１９）は、音響チャネルに沿って伸び、前記電気音響トランデューサ（２１）の膜（２２）を保護する
ことを特徴とする請求項１１記載の携帯機器。
【請求項１３】
前記変形可能な膜（１５）は、防水性でかつ気密の膜であり、
前記変形可能な膜（１５）の両側にかかったゆっくりとした差圧変動のバランスを取る圧力バランス手段（２９，３０，３１）を有する
ことを特徴とする請求項１−１２のいずれかに記載の携帯機器。
【請求項１４】
前記携帯機器は、電話兼用時計である
ことを特徴とする請求項１−１３のいずれかに記載の携帯機器。
【請求項１５】
前記ケースの外部周囲に少なくとも１個の制御部材（３５ａ，３５ｂ，３６）を有し、
前記入口キャビティ（１１）は、前記制御部材の近傍に配置された少なくとも１個の入口チャネル（１２）を介して外部と導通している
ことを特徴とする請求項１４記載の携帯機器。
【請求項１６】
異なった方向を向いて配列された２個の入力チャネル（１２ａ，１２ｂ）を有する
ことを特徴とする請求項１５記載の携帯機器。
【請求項１７】
前記ケースの裏蓋（１０）は、少なくとも１個の電気的あるいは電子的要素（３２，３３）を含み、前記変形可能な膜（１５）により防水仕様で入口キャビティ（１１）から分離されている
ことを特徴とする防水性携帯機器。
【発明の詳細な説明】
【技術分野】
【０００１】
本発明は、電気音響トランデューサを含む、例えば腕時計のような防水携帯機器に関する。
【背景技術】
【０００２】
この種の防水性携帯機器は、電気音響トランデューサが搭載されるケースを有する。この電気音響トランデューサは、ケース内に配列されており、外部と直接導通している入口キャビティとは、変形可能な膜により防水分離されている。
【０００３】
この様な携帯機器は、特許文献１で公知である。この文献は図５に示す防水携帯機器である時計１を開示している。この時計１はその中に電気音響トランデューサ２１が搭載されるケース２を有する。この電気音響トランデューサ２１は、音響エネルギーを介してケース２の外部と防水仕様で導通している。電気音響トランデューサ２１は、変形可能な膜１５に固定される。この膜１５は、電気音響トランデューサ２１をケース内に形成された入口キャビティ１１から防水（仕様で）分離しながら、外部と導通している。
【０００４】
【特許文献１】ヨーロッパ特許第０８９９ ６３５号明細書
【０００５】
しかしこの種の構造には幾つかの欠点がある。図に示すように、ピエゾ電子型の音響トランデューサの場合には、プリント回路基板（即ちＰＣＢ）上でケース内に収納された制御回路は、特に集積電圧マルチプアイアを具備した増幅器を有し、このマルチプライアはトランデューサに適合しなければならず、ＰＣＢ上でのその設計は複雑となり広い設置面積を必要とする。
【０００６】
更に又ピエゾ電子トランデューサとＰＣＢとの接続は、電気ワイヤ手段により行われる。しかしこの接続は、トランデューサ上での難しい組み立て作業と、ワイヤの溶接作業が必要である。
【０００７】
更に図に示した構造体での防水性は、変形可能な膜の上方に配置された要素部品に対してのみ補償される。ケースの底部に配置された電子部品あるいは電気部品のいずれかを防水仕様でシールするような装置を具備していない。
【０００８】
ピエゾ電子型音響トランデューサを電気力学型音響トランデューサで単に置換すると言う設計は、ケースの小型化と比較的大型のダイナミックトランデューサとその厚さが無視できないという点で、困難な問題を引き起こす。電気力学型音響トランデューサとは、可動部分が、外部電源により提供される電流あるいは外部磁界により誘導される電流が流れるような導体であるような可動導体部分を具備するトランデューサのことである。
【発明の開示】
【発明が解決しようとする課題】
【０００９】
この従来技術の欠点を解決するために、本発明の目的は、単純な構造で、装置のケース内を占有する厚さが薄いような防水性携帯機器を提供することである。
【課題を解決するための手段】
【００１０】
かくして本発明の一実施例は前述した防水性携帯機器に関し、特に、電気音響トランデューサと入口キャビティは、前記トランデューサと前記キャビティの少なくとも一部は、所定厚さで、前記ケースの裏蓋（１０）に平行な同一のスライス厚さ内に配置され、音響チャネルは、前記トランデューサを変形可能な膜に接続して音響振動を伝達する。本発明の変形例は、従属クレームで定義されている。
【実施例】
【００１１】
以下の説明において本発明の様々な実施例は腕時計を例に説明する。しかし、電気音響トランデューサを有し、水のような液体に所定の深さまで沈めることができる小型の他の携帯用電気機器に適用できることは、本発明の目的に適うことは明らかである。更にここに示した様々な実施例においては、電気音響トランデューサはスピーカであるが、例えばマイクのようなトランデューサも別の実施例で用いることができる。かくして本発明の第１実施例によれば、図１には実際にしばしば必要となるような所定の深さ、例えば３０ｍの水深迄防水機能がある時計１の断面図が示されている。
【００１２】
図１には時計１の以下の部品即ちケース２と、ガラス蓋３と、針４，５と、文字板６と、小型モータ７と、時計用の第１プリント回路基板（ＰＣＢ）８とが示されている。これらの全ての要素、概要で示した部品、あるいは図には示していない部品、例えば水晶振動子、輪列、集積回路等は従来部品であり、ここには記載しない。好ましくはこの時計は、電話用の第２プリント回路基板９を有する携帯用電話機も構成する。
【００１３】
ここに示した実施例においては、このケースは、例えば結合ネジ止め、スナップヒット等の手段でケースに防水仕様で取り付けられている裏蓋１０を有する、裏蓋１０とケース２は一体のモールド部品で形成することもできる。ケース２はチェンバー即ち入口キャビティ１１を有する。この入口キャビティ１１は、通常環状で横方向で外部に開いた入口チャネル１２を介して、外部と直接導通状態にある。入口キャビティ１１の周囲で、裏蓋１０は丸い端部を具備し、溝１４に隣接する周囲リブ１３を有する。この溝１４は周囲リブ１３に対し外部に配置されている。
【００１４】
膜１５は、周囲エッジ１６が形成された円形状のディスクから構成される。周囲エッジ１６は、溝１４内に収納され、その外側表面は、溝１４の周囲の周囲壁１７に結合されている。膜１５は、保護部材１９の環状支持表面１８により圧縮されている。保護部材１９は、例えばネジ２０の手段により、ケース２に固定搭載された環状グリッドである。膜１５は、支持表面として機能する搭載用リング（図示せず）により保持することもでき、この場合保護部材１９は必要ではない。
【００１５】
かくして膜１５は、外部環境に対し時計１の内側を防水性にする。膜１５は、防水性かつ気密性のある変形可能材料例えばシリコンである。膜１５から離れた領域に、裏蓋１０は、肩部３０を具備する貫通通路２９を有する。この肩部３０に圧力補償ディスク３１が当接して配列される。この圧力補償ディスク３１は、防水性であるが気密性ではない。この構造体は、音響チャネル２４にケース２内に形成された空気通路を介して接続される。通路２９、肩部３０、圧力補償ディスク３１は、圧力バランス手段を形成し、変形可能な膜の両側にかかる差圧のゆっくりとした振動をバランスさせる。
【００１６】
しかし変形可能な膜１５は、前述の回路に換わり、圧力補償機能を満たすよう設計される。この様な場合、膜１５は、フレキシブルで、防水材機能を有するが、気密あるいは準気密の材料から形成され、その静的圧力は、非常に低い周波数で変動する。
【００１７】
電気音響トランデューサ２１は、ケース２のハウジング内に固定搭載され、一個の電気接点３８で第２プリント回路基板９に接続される。電気音響トランデューサ２１と入口キャビティ１１の横方向の配列は、電気音響トランデューサ２１とそれぞれの入口キャビティ１１の所定の厚さの少なくとも一部が、ケース２の同一のスライス厚さ２８内に含まれるように行われる。このスライス厚さ２８とは、２つの平行な面の間に含まれる対象物の一部を意味する。入口キャビティ１１の厚さは、電気音響トランデューサ２１のそれ以下が好ましい。その結果ケースのスライス厚さ２８は、電気音響トランデューサ２１の厚さに対応するのが好ましい。
【００１８】
チャネル３９がケース２の内側に形成され、これにより電気音響トランデューサ２１の上の圧力と下の圧力が同一になるようにしている。
【００１９】
電気音響トランデューサ２１と／又は入口キャビティ１１が、傾斜している他の構成も考えられる。但しこれら２つの要素を通るケースのスライス厚さは最小の所定厚さで例えばｍｍのオーダーでその結果、同一量だけ時計１の全厚さを減らすことができる。
【００２０】
ここに示した実施例においては、電気音響トランデューサ２１はダイナミックスピーカーであり、その形状と動作は図４で示されている。このトランデューサは、付加的な振動機能を有しこれも図４で示されている。このダイナミックトランデューサは、特に、標準の増幅器を含む制御回路手段で従来と同様に制御される。この制御回路は第２プリント回路基板９の小さなスペース内に容易に集積される。
【００２１】
電気音響トランデューサ２１は、可聴周波数範囲内でスピーカとして機能するエラストマ材料製の膜２２を含む。追加的な振動機能は、時計１の良好な振動レベルが可能な所定の周波数レベル（例えば１４０ヘルツ）での振動要素（図示せず）で達成できる。この振動要素は、時計に対する良好な振動を得るために、ケースの内側方向に向けて配置され、一方フレキシブルな膜２２はケースの裏蓋１０の方向を向いて配置される。
【００２２】
膜２２の音響振動を変形可能な膜１５に伝達するために、ケースの裏蓋１０内に音響チャネル２４が配置される。この音響チャネル２４はトランデューサの膜２２に面して配置された第１チェンバー２５と、膜１５に面して配置された第２チェンバー２６と、第１チェンバー２５と第２チェンバー２６の間に配置された接続導管２７と、を有する。第２チェンバー２６は、膜１５と保護部材１９との間の領域に対応する。保護部材１９が無い場合には、膜１５と裏蓋１０との間の領域に対応する。
【００２３】
膜１５の動作は次の通りである。時計１が水から離れたところで装着されている場合には、膜１５は平坦な形状をしており、電気音響トランデューサ２１により生成される音響振動を外部に伝えるよう自由に変形する。
【００２４】
しかし時計１が水中に沈められると、膜１５は、その両側にかかる差圧で急激な振動を起こすために変形する。その時は、膜１５は裏蓋１０の方向を向いた凸形状となる。その理由は、この目的のために具備された回路を介した圧力補償パス、あるいは疎水性膜の場合には、膜そのものを介して急激な圧力変動でバランスを取ることができないからである。ある水圧値以上では、膜１５が大きく変形することにより、膜１５が裏蓋１０あるいは保護部材１９に当たる。かくして膜１５の劣化を防ぐような十分な支持を提供する。
【００２５】
図２は本発明の第２実施例による図１と類似する断面図を示す。これらの構成要素の参照番号は図１と共通である。
【００２６】
同図に示すように、少なくとも１個の電気的あるいは電子的な容積構成要素であるアキュームレータ３２がケースの裏蓋１０内に配置されている。他の構成要素も具備される。例えばアキュームレータ３２をケース２内に配置された時計１の他の電気部品あるいは電子部品に電気的に接続するプリント回路基板３３も具備される。
【００２７】
好ましくは、膜１５の配置により、ケースの上部部品部分に配置された電気的要素あるいは電子的要素、及び裏蓋１０に配置された要素の防水性を補償している。
【００２８】
ケースの裏蓋１０内に収納されたアキュームレータ３２とプリント回路基板３３を置換するために、第１変形例によれば、防水仕様で裏蓋１０を閉鎖するアクセスハッチ３４が配置される。第２変形例によれば、他の構成部品を置換するために、取り外し可能な着脱可能な裏蓋を具備する。後者の場合、図１に示された保護部材１９が具備される。後者は２つの機能を有する。その内の１つは、所定値以上の外部圧力が加わったときに変形可能な膜１５を支持することであり、もう１つはケースの裏蓋が取り外されたときに膜１５を保護することである。好ましくはこの保護部材１９は、音響チャネル２４に沿って伸びて、電気音響トランデューサ２１のフレキシブルな膜２２をカバーしそれを保護する。
【００２９】
別の差圧補償手段も図示していないが適用可能である。
【００３０】
図３は本発明の２つの実施例の携帯用装置の構成部品の上面図である。前の図と同一である構成部品は、同一参照番号で示している。
【００３１】
図３は、ケース２と、電気音響トランデューサ２１と、入口キャビティ１１と、トランデューサとキャビティの間の音響チャネルの接続導管２７とを示している。同図に示すように、入口キャビティ１１は、好ましくは２つの入口チャネル１２ａ，１２ｂを介して外部と直接導通している。これらの入力チャネル１２ａ，１２ｂは側面で解放されている。これら２個のチャネルは異なった方向を向いており、マイクの場合には外部からの音響振動の受信効率を、スピーカの場合には外部に向いた音響振動の発振効率を改善している。
【００３２】
時計は制御部材を有する。例えば時間設定部材３６の両側に配置された２個のプッシュボタン３５ａ，時間設定部材３６ｂである。これらの制御部材の動作方法は従来通りでありここでは詳述しない。好ましくは入口チャネル１２ａは、例えばプッシュボタン３５ｂと時間設定部材３６との間で外部に向いて解放している。他の入口チャネル１２ｂはプッシュボタン３５ａの他の側で、解放するために中心からずれている。
【００３３】
同図から分かるように、電話兼用時計の場合には、ハウジング３７は、ＳＩＭカードを収納するように電気音響トランデューサ２１と同一のスライス厚さ内に配置されている。
【００３４】
電話兼用時計へのアプリケーションにおいては、この電話兼用時計は、スピーカとマイクを有し、それらは互いにできるだけ離れているのが好ましい。
【００３５】
図４は、「ダイナミック電気音響トランデューサ」の断面図である。ここでダイナミックトランデューサとは、可動導体を具備したトランデューサを意味する。ここで。可動導体内の可動部品は、トランデューサの外部に配置された電源からの電流あるいはトランデューサの外部の磁界により誘導される電流が導体である。
【００３６】
この様なダイナミックトランデューサは、図示したケースではスピーカは、磁気回路１０２にスプリング１０３を介して接続された環状ケース１０１を有する。磁気回路１０２内に形成された環状溝１０４内に誘導コイル１０５が配置される。環状ケース１０１と誘導コイル１０５に取り付けられた膜１０６により、音響振動１０７は矢印で示した垂直方向に伝搬される。
【００３７】
図１，２に示した両方の実施例においては、トランデューサは、二重機能のダイナミックトランデューサ、即ちスピーカとバイブレータ（振動子）である。振動する膜１０６によりスピーカの機能を得るために、特に可聴周波数範囲（３００Ｈｚ−３．５ｋＨｚ）で得るために、誘導コイル１０５は、外部制御回路（図示せず）により電流制御され、コイル内を流れる制御電流が、コイルを通した磁界を誘導する。これが磁気回路１０２により生成された磁界と相互作用する。
【００３８】
バイブレータ（振動子）機能を得るために、膜１０６が低周波で十分に振動できないので、コイルは電流制御され、コイルにより誘導された磁界と磁気回路１０２の磁界の相互作用により、トランデューサケースである環状ケース１０１が共鳴周波数（例えば１４０Ｈｚ）で振動し、時計組み立て体を振動させる。この種のダイナミック電気トランデューサはJapanese Namiki Company（登録商標）から市販されている。
【００３９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００４０】
【図１】本発明の第１実施例による携帯機器の電気音響トランデューサの断面図。
【図２】本発明の第２実施例による携帯機器の電気音響トランデューサの断面図。
【図３】本発明の電気音響トランデューサの上面図。
【図４】ダイナミックスピーカの断面図。
【図５】従来技術にかかる防水性携帯機器を表す断面図。
【符号の説明】
【００４１】
１  時計
２  ケース
３  ガラス蓋
４，５  針
６  文字板
７  小型モータ
８  第１プリント回路基板
９  第２プリント回路基板
１０  裏蓋
１１  入口キャビティ
１２  入口チャネル
１３  周囲リブ
１４  溝
１５  膜
１６  周囲エッジ
１７  周囲壁
１８  支持表面
１９  保護部材
２０  ネジ手段
２１  電気音響トランデューサ
２２  膜
２４  音響チャネル
２５  第１チェンバー
２６  第２チェンバー
２７  接続導管
２８  スライス厚さ
２９  通路
３０  肩部
３１  圧力補償ディスク
３２  アキュームレータ
３３  プリント回路基板
３４  アクセスハッチ
３５ａ，ｂ  プッシュボタン
３６  時間設定部材
３７  ハウジング
３８  電気接点
３９  チャネル
１０１  環状ケース
１０２  磁気回路
１０３  スプリング
１０４  環状溝
１０５  誘導コイル
１０６  膜
１０７  音響振動
【図１】
2006513427.tif 000003
【図２】
2006513427.tif 000004
【図３】
2006513427.tif 000005
【図４】
2006513427.tif 000006
【図５】
2006513427.tif 000007
【手続補正書】
【提出日】平成17年4月5日(2005.4.5)
【手続補正１】
【補正対象書類名】特許請求の範囲
【補正対象項目名】全文
【補正方法】変更
【補正の内容】
【特許請求の範囲】
【請求項１】
ケース（２）を有する防水性携帯機器（１）において、
前記ケース（２）内に、入口キャビティ（１１）から変形可能な膜（１５）で、防水仕様で分離された電気音響トランデューサ（２１）が搭載され、
前記入口キャビティ（１１）は、前記ケース（２）内に配置され、外部と導通状態にあり、
前記電気音響トランデューサ（２１）と入口キャビティ（１１）の横方向の配置は、前記トランデューサと前記キャビティの少なくとも一部は、所定の厚さで、前記ケースの裏蓋（１０）に平行な同一のスライス厚さ（２８）内に配置され、
前記音響チャネル（２４）は、前記トランデューサを変形可能な膜（１５）に接続して、音響振動を伝達する
ことを特徴とする防水性携帯機器。
【請求項２】
前記電気音響トランデューサ（２１）は、ダイナミック電気音響トランデューサである
ことを特徴とする請求項１記載の携帯機器。
【請求項３】
前記電気音響トランデューサ（２１）は、スピーカを含む
ことを特徴とする請求項１または２記載の携帯機器。
【請求項４】
前記スピーカは、前記音響チャネル（２４）に面して配列されたフレキシブルな膜（２２）を含む
ことを特徴とする請求項３記載の携帯機器。
【請求項５】
前記電気音響トランデューサ（２１）は、バイブレータ（振動子）を含む
ことを特徴とする請求項３または４記載の携帯機器。
【請求項６】
前記電気音響トランデューサ（２１）は、ケースの内側を向いて配列された振動要素を含む
ことを特徴とする請求項５記載の携帯機器。
【請求項７】
前記音響チャネル（２４）は、ケースの裏蓋（１０）内に配置され、前記音響チャネル（２４）は、前記変形可能な膜（１５）により防水仕様で入口キャビティ（１１）から分離されている
ことを特徴とする請求項１−６のいずれかに記載の携帯機器。
【請求項８】
前記ケースの裏蓋（１０）は、外部圧力が所定の圧力以上の時には、前記変形可能な膜（１５）に対する支持表面を構成する
ことを特徴とする請求項７記載の携帯機器。
【請求項９】
少なくとも１個の電気的あるいは電子的要素（３２，３３）が、前記ケースの裏蓋（１０）内に配置されている
ことを特徴とする請求項７，８のいずれかに記載の携帯機器。
【請求項１０】
前記電気的要素は、アキュームレータ（３２）である
ことを特徴とする請求項９記載の携帯機器。
【請求項１１】
前記ケースの裏蓋（１０）は、取り外し可能であり、
前記ケースに固定して搭載された保護部材（１９）を有し、
前記保護部材（１９）は、外部圧力が所定値以上の時には前記変形可能な部材をサポートし、ケースの裏蓋（１０）が取り外された時には、前記変形可能な膜（１５）を保護する
ことを特徴とする請求項７−１０のいずれかに記載の携帯機器。
【請求項１２】
前記保護部材（１９）は、音響チャネルに沿って、前記電気音響トランデューサ（２１）の膜（２２）を保護する程度伸びる
ことを特徴とする請求項１１記載の携帯機器。
【請求項１３】
前記変形可能な膜（１５）は、防水性でかつ気密の膜であり、
前記変形可能な膜（１５）の両側にかかったゆっくりとした差圧変動のバランスを取る圧力バランス手段（２９，３０，３１）を有する
ことを特徴とする請求項１−１２のいずれかに記載の携帯機器。
【請求項１４】
前記携帯機器は、電話兼用時計である
ことを特徴とする請求項１−１３のいずれかに記載の携帯機器。
【請求項１５】
前記ケースの外部周囲に少なくとも１個の制御部材（３５ａ，３５ｂ，３６）を有し、
前記入口キャビティ（１１）は、前記制御部材の近傍に配置された少なくとも１個の入口チャネル（１２）を介して外部と導通している
ことを特徴とする請求項１４記載の携帯機器。
【請求項１６】
異なった方向を向いて配列された２個の入力チャネル（１２ａ，１２ｂ）を有する
ことを特徴とする請求項１５記載の携帯機器。
【請求項１７】
ケース（２）を有する防水性携帯機器（１）において、
前記ケース（２）内に、少なくとも１個の入口キャビティ（１１）から、変形可能な膜（１５）で、防水仕様で分離された電気音響トランデューサ（２１）が搭載され、
前記入口キャビティ（１１）は、前記ケース（２）内に配置され、外部と導通状態にあり、
前記ケースの裏蓋（１０）は、入口キャビティ（１１）から、変形可能な膜で、防水仕様で分離された少なくとも１個の電気的または電子的要素（３２，３３）を有する
ことを特徴とする防水性携帯機器。
【国際調査報告】
2006513427.tif 000008
2006513427.tif 000009
2006513427.tif 000010
2006513427.tif 000011
2006513427.tif 000012
2006513427.tif 000013